(57)【要約】【課題】  操作パネル部３から受け入れた操作項目が、画像印刷を必要としていると判定されたときのみに定着部２２の温度を上昇させる。【解決手段】  スキャナ部１は、原稿上の画像を読み取って画像データを出力し、作像部２１は、画像データに基づいて所定の記録媒体上に作像し、定着部２２は、作像された画像を所定の定着温度で定着させ、印刷要不要判定部２５は、操作パネル部３から受け入れた特定の操作項目の入力が画像印刷を必要とするか否かを判定し、定着温度制御部２３は、印刷要不要判定部２５による画像印刷必要の判定に基づいて定着部２２の温度を上昇させる制御を行う。【選択図】        図７
2006227286.tif 000002
【特許請求の範囲】
【請求項１】
原稿上の画像を読み取って画像データを出力する画像読み取り手段と、該画像データに基づいて所定の記録媒体上に作像する作像部、作像された画像を所定の定着温度で定着させる定着部、及び前記定着温度を制御する定着温度制御部とを有する画像印刷手段と、前記画像データの取扱について複数の操作項目の入力を可能にする操作部とを含む画像形成装置であって、
前記操作部から受け入れた特定の操作項目の入力が前記画像印刷手段による画像印刷を必要とするか否かを判定する印刷要不要判定部を備え、
前記定着温度制御部は、前記印刷要不要判定部による画像印刷必要の判定に基づいて前記定着部の温度を上昇させる制御を開始することを特徴とする画像形成装置。
【請求項２】
前記特定の操作項目は、前記原稿上の画像の複写モード選択操作であることを特徴とする請求項１に記載の画像形成装置。
【請求項３】
前記特定の操作項目は、前記原稿上の画像の複写倍率設定操作であることを特徴とする請求項１、又は請求項２に記載の画像形成装置。
【請求項４】
前記特定の操作項目は、前記原稿上の画像の複写解像度設定操作であることを特徴とする請求項１から請求項３の何れか一項に記載の画像形成装置。
【請求項５】
前記特定の操作項目は、前記原稿上の画像の複写部数設定操作であることを特徴とする請求項１から請求項３の何れか一項に記載の画像形成装置。
【請求項６】
前記画像読み取り手段にセットされていた原稿が、取り除かれたことを検知する原稿除去検出部を更に備え、
該原稿除去検出部は、前記原稿が取り除かれたことを検知すると、前記定着温度制御部による前記定着部の温度を上昇させる制御を停止させることを特徴とする請求項１に記載の画像形成装置。
【請求項７】
前記定着温度制御部が、前記印刷要不要判定部による画像印刷必要の判定に基づいて前記定着部の温度を制御中に、スキャンモードへの変更要求を検出するモード変換検出部を更に備え、
該モード変換検出部は、
前記スキャンモードへの変更要求を検出すると、定着温度制御部による定着部の温度制御を停止させることを特徴とする請求項１に記載の画像形成装置。
【発明の詳細な説明】
【技術分野】
【０００１】
本発明は、画像形成装置に関し、特に画像形成装置の節電機能に関するものである。
【背景技術】
【０００２】
従来、スキャナ部とプリンタ部とを備える画像形成装置が提案されている。かかる装置は、原稿をスキャナ部で読み取って外部装置へ送信するスキャナ機能と、スキャナ部で読み取った原稿の画像データをプリンタ部で印刷するコピー機能とを備えている（特許文献１参照）。この種の装置には、消費電力を低減させるための節電機能を備えることが求められ、画像形成装置が待機状態にあるときに、プリンタ部の定着部の温度を定着温度よりも下げておき、操作者がスキャナ部に原稿をセットしたときに、定着部の温度を定着温度まで上昇させることとしている。
【０００３】
上記装置は、操作者によって、原稿をスキャナ部で読み取ってコピーする場合と、原稿をスキャナ部で読み取ってコピーすることなく画像データを外部装置へ送信する場合の二通りの用途に用いられていた。従って、上記のように、操作者がスキャナ部に原稿をセットしたときに、一律に定着部の温度を定着温度まで上昇させることとしたのでは、原稿をスキャナ部で読み取ってコピーすることなく画像データを外部装置へ送信する場合には、無駄な電力を消費することになっていた。
【特許文献１】特開平１０−１６１９５８号公報
【発明の開示】
【発明が解決しようとする課題】
【０００４】
解決しようとする問題点は、操作者がスキャナ部に原稿をセットしたときに、原稿をスキャナ部で読み取ってコピーする場合と、原稿をスキャナ部で読み取ってコピーすることなく画像データを外部装置へ送信する場合の何れであるかに関わらず、一律に定着部の温度を定着温度まで上昇させることとしていたため無駄な電力を消費することになっていた点である。
【課題を解決するための手段】
【０００５】
本発明では、操作パネル部から受け入れた特定の操作項目の入力が、画像印刷手段による画像印刷を必要とするか否かを判定する印刷要不要判定部と、該印刷要不要判定部による画像印刷必要の判定に基づいて定着部の温度を上昇させる制御を開始する定着温度制御部とを備えることを最も主要な特徴とする。
【発明の効果】
【０００６】
操作パネル部から受け入れた操作項目が、画像印刷を必要としていると判定されたときに、定着部の温度を上昇させる制御が開始されるので、操作者が複写条件の設定等を行っている間に定着部の温度を上昇させることが出来、その結果、複写タイミングを早めることが可能になると共に、画像印刷を必要としていないときには、定着部の温度を上昇させないので不要な電力消費を回避することが出来るという効果を得る。
【発明を実施するための最良の形態】
【０００７】
操作パネル部から受け入れた特定の操作項目の入力が、画像印刷手段による画像印刷を必要とするか否かを判定する印刷要不要判定部と、該印刷要不要判定部による画像印刷必要の判定に基づいて定着部の温度を上昇させる制御を開始する定着温度制御部とを、部品点数を増加させることなく、装置内部に有するＣＰＵ（マイクロプロセッサ）の制御手段によって実現した。
【実施例１】
【０００８】
本実施例では、画像形成装置に、操作者が操作パネル部の複写モードボタンを押下したことを認識する複写モード選択認識部を備え、この複写モード認識部が操作者によって複写モードボタンが押下されたことを認識したときに定着部の温度上昇を開始させることとする。
【０００９】
図１は、実施例１による画像形成装置の構成のブロック図である。
図に示すように画像形成装置１００は、スキャナ部１と、プリンタ部２と、操作パネル部３と、複写モード選択認識部４と、ネットワークＩ／Ｆ部５と、電源部６と、ＣＰＵ７と、タイマー８と、ＲＯＭ９と、ＲＡＭ１０とを備える。
【００１０】
スキャナ部１は、原稿検出部１１と、原稿読み取り部１２とを有し、原稿上の画像を読み取って画像データを出力する部分である。この部分の概略構成について説明する。
図２は、スキャナ部の構成の概略説明図である。
図に於いて、原稿検出部１１は、原稿検出用レバー１１−１、フォトカプラ１１−２、抵抗Ｒ１、及び抵抗Ｒ２からなる。
【００１１】
原稿検出用レバー１１−１は、支点１１−１ａを中心にして図中矢印の方向に回転可能なように原稿載置台１１−３に取り付けられている。原稿が原稿載置台１１−３にセットされていない場合には、遮光板１１−１ｂが、自重によって支点１１−１ａを中心にして図中矢印の方向（時計方向）に回転してフォトダイオード１１−２ａからフォトトランジスタ１１−２ｂへ向かう光路を遮断する。このときフォトトランジスタ１１−２ｂはオフとなり、抵抗Ｒ２を介して略５Ｖ（ボルト）の原稿有無信号（原稿無）がＣＰＵ７に向けて出力される。
【００１２】
原稿が原稿載置台１１−３にセットされると、遮光板１１−１ｂが、自重に逆らって支点１１−１ａを中心にして図中矢印の方向（反時計方向）に回転してフォトダイオード１１−２ａからフォトトランジスタ１１−２ｂへ向かう光路を形成する。このときフォトトランジスタ１１−２ｂはオンとなり、抵抗Ｒ２は接地され、略０Ｖ（ボルト）の原稿有無信号（原稿有）がＣＰＵ７に向けて出力される。
【００１３】
原稿読み取り部１２は、図示しない原稿搬送手段によって原稿載置台１１−３から搬送されてくる原稿上の画像を読み取る部分である。ここで読み取られた画像データは、ＲＡＭ１０（図１）に格納される。
【００１４】
図１に戻って、プリンタ部２は、作像部２１と、定着部２２と、定着温度制御部２３とを有し、上記原稿読み取り部１２から画像データを受け入れると、該画像データに基づいて所定の記録媒体上に画像を再現し、再現した画像を所定の定着温度で定着させる部分である。この部分の概略構成について説明する。
【００１５】
図３は、プリンタ部の構成の概略説明図である。
図において、作像部２１は、図示しない記録媒体搬送手段によって搬送されてくる記録媒体上にＲＡＭ１０（図１）から受け入れた画像データに基づいて現像剤で画像を作像する部分である。
【００１６】
定着部２２は、ハロゲンランプ２２−１を内蔵する定着ローラ２２−２、定着ローラ２２−２に圧接するように配設されるバックアップローラ２２−３、及び定着ローラ２２−２の近傍に配設されるサーミスタ２２−４からなる。
【００１７】
定着温度制御部２３は、電源部６（図１）から供給される電源をハロゲンランプ２２−１に通電、又は遮断する機能と、温度によって変化するサーミスタ２２−４の抵抗値を読み取って温度に換算し、定着部２２の温度を検出する機能と、検出した温度に基づいて定着部２２を所定の温度に維持すべくハロゲンランプ２２−１への電源の通電、遮断を自動的に行う一定温度保持機能とを有する部分である。
【００１８】
この定着温度制御部２３は、ＲＯＭ９（図１）に予め格納されている所定の制御プログラムをＣＰＵ７（図１）が実行することによって起動される部分である。作像部２１で作像された記録媒体上の画像は、所定の定着温度に保持された定着ローラ２２−２と、バックアップローラ２２−３との間を通過することによって記録媒体上に定着される。
【００１９】
図１に戻って、操作パネル部３は、画像データの取扱について操作者による複数の操作項目（モードを含む）の入力を可能にする部分である。この部分に配設されている、各種操作入力（選択）キーについて説明する。
【００２０】
図４は、操作パネル部の構成図である。
図に於いて、２００は、装置の状態や各種設定画面を表示するＬＣＤ（液晶表示板）である。２０１は、複写倍率設定キーであって押下する毎に複写倍率表示用ＬＥＤ２０２の点灯が切り替わると共に複写倍率が％表示される。２０３、２０４は、複写用ズームキーであって複写倍率設定を所定の％単位で増減させることが出来る。２０６は、複写解像度設定キーであって、押下する毎に複写解像度表示用ＬＥＤ２０７の点灯が切り替わる。２０８、２０９は、原稿画像を薄めに読むか濃いめに読むかを設定するための読み取り濃度設定キーであって、押下する毎に読み取り濃度表示用ＬＥＤ２１０が１段階ずつ切り替わる。
【００２１】
２１１、２１２は、モード選択キーであって、複写モード選択キー２１１を押下すると複写モードが選択され、スキャンモード選択キー２１２を押下するとスキャンモードが選択される。２１３は、モード表示用ＬＥＤであって、モード選択キー２１１、２１２によって選択されたモードに対応するＬＥＤが点灯する。２１４は、複写モード時には複写部数入力、スキャンモード時にはメールアドレス等を入力するテンキーである。２１５は、設定入力された複写部数を表示するための複写部数表示器である。
【００２２】
２１９は、複写モード時には前述した設定以外の複写関連追加設定画面を、スキャンモード時にはスキャン関連追加設定画面をＬＣＤ２００に表示させるための追加設定キーである。２２２は、各種装置設定画面をＬＣＤ２００に表示させるためのメニューキーである。２１６は、追加設定キー２１９或いはメニューキー２２２が押下されたことによってＬＣＤ２００に表示される設定の複数の選択肢の中から１つを選択するためのカーソル移動用キーであって、カーソルを上下左右に移動させることが可能である。２１８は、カーソル移動用キー２１６で選択された設定を確定させるためのセットキー、２１７は、確定した設定をキャンセルするためのキャンセルキーである。
【００２３】
２２０は、ＦＴＰサーバのアドレスをＬＣＤ２００に表示させるためのＦＴＰアドレス呼び出しキー、２２１は、メールアドレスをＬＣＤ２００に表示させるためのメールアドレス呼び出しキー、２２３は、設定入力をリセットするためのリセットキー、２２４は、待機状態にある装置をパワーセーブモードに移行させ、又はパワーセーブモードにある装置を待機状態に復帰させるためのパワーセーブキーである。
【００２４】
パワーセーブモードとは、定着部２２（図１）や図示しない他の駆動部への給電を遮断し、待機状態よりも更に消費電力を低減するためのモードである。以後、待機状態及びパワーセーブモードの双方もしくはいずれか一方を節電モードと記す。２２５は、装置の電源オン／オフ、アラーム発生状況、パワーセーブモードオン／オフを表示するためのＬＥＤ群である。２２６、２２７は、それぞれ白黒モード、カラーモードで原稿読み取りを開始指示するためのスタートキーであり、２２８は装置の動作を停止させるためのストップキーである。
【００２５】
図１に戻って、複写モード選択認識部４は、操作者によって、複写モード選択キー２１１、２１２（図４）が押下されたことを認識し、操作者によって、複写モード選択キー２１１（図４）が押下されたことを認識した場合には、定着温度制御部２３に定着部２２の温度上昇を開始させる部分である。又、操作者によって、スキャンモード選択キー２１２（図４）が押下されたことを認識した場合には、スキャンモードの処理を開始させる部分である。この部分は、ＲＯＭ９に予め格納されている所定の制御プログラムをＣＰＵ７が実行することによって起動される部分である。
【００２６】
ネットワークＩ／Ｆ部５は、ＣＰＵ７の制御に基づいて、ネットワーク１３を介して外部装置１１０と画像形成装置１００とを通信接続するインタフェース回路である。
電源部６は、装置内各部分へ所要の電源を供給する部分である。
【００２７】
ＣＰＵ７は、ＲＯＭ９に予め格納されている所定の制御プログラムを実行することによって装置全体を制御するマイクロプロセッサである。通常の制御（説明を省略する）に加えて、本実施例ではＲＯＭ９に予め格納されている所定の制御プログラムを実行することによって定着温度制御部２３と、複写モード選択認識部４とを起動する部分である。
タイマー８は、ＣＰＵ７が各種制御を実行する経過の中で必要になる経過時間を測定する計時手段である。通常、ＣＰＵ７が自己の内部に有するタイマーがこの役目を分担する。
【００２８】
ＲＯＭ９は、ＣＰＵ７が実行して装置全体を制御する制御プログラムが予め格納されているリードオンリーメモリーである。通常の制御プログラム（説明を省略する）に加えて、本実施例ではＣＰＵ７が実行することによって定着温度制御部２３と、複写モード選択認識部４とを起動する制御プログラムが予め格納されているリードオンリーメモリーである。
ＲＡＭ１０は、ＣＰＵ７が所定のプログラムを実行する際にワークエリアとして一時的に使用するランダムアクセスメモリである。
【００２９】
図５は、実施例１による画像形成装置の動作フローチャート（その１）である。
図６は、実施例１による画像形成装置の動作フローチャート（その２）である。
図に示すフローは、ＣＰＵ７（図１）が、ＲＯＭ９（図１）に格納されている制御プログラムを読み出して実行することによって達成される。図のステップＳ１−１からステップＳ１−２６までステップ順に画像形成装置の動作について説明する。
【００３０】
ステップＳ１−１（図５）
画像形成装置１００（図１）は、節電モード（定着部温度低）で待機している。
ステップＳ１−２
操作者が操作パネル部３（図４）を操作して所望のモードを入力する。このときモード選択キー２１１、２１２（図４）によって複写モードが選択された場合にはステップＳ１−３へ進み、複写モードが選択されなかった場合にはステップＳ１−２３へ進む。
【００３１】
ステップＳ１−３
複写モード選択認識部４（図１）は、複写モードが選択されたことを認識する。
ステップＳ１−４
複写モード選択認識部４（図１）は、定着温度制御部２３（図１）に定着温度制御を開始させる。定着温度制御部２３（図１）は、ハロゲンランプ２２−１（図３）に通電させて定着ローラ２２−２（図３）の温度を上昇させる。
【００３２】
ステップＳ１−５
定着温度制御部２３（図１）は、タイマー８（図１）をスタートさせる。
ステップＳ１−６
操作者によって、複写倍率設定キー２０１（図４）、複写用ズームキー２０３、２０４（図４）、複写解像度設定キー２０６（図４）、複写部数入力キーとしてのテンキー２１４（図４）、及び追加設定キー２１９（図４）のいわゆる複写条件設定キーの何れかが押下された場合にはステップＳ１−１６へ進み、何れも押下されなかった場合にはステップＳ１−７へ進む。
【００３３】
ステップＳ１−７
原稿検出部１１（図２）は、原稿を検出すると、略０Ｖ（ボルト）の原稿有無信号（原稿有）をＣＰＵ７（図１）へ送出してステップＳ１−８へ進み、原稿を検出出来ない場合にはステップＳ１−１８へ進む。
【００３４】
ステップＳ１−８
操作者によってスタートキー２２６又は２２７（図４）が押下されたのを、ＣＰＵ７（図１）が認識するとステップＳ１−９へ進み、認識されない場合にはステップＳ１−１８へ進む。
【００３５】
ステップＳ１−９（図６）
原稿読み取り部１２（図２）は、原稿読み取りを開始する。
ステップＳ１−１０
定着温度制御部２３（図３）は、サーミスタ２２−４（図３）を監視して、定着ローラ２２−２（図３）の温度が所定の定着温度に達してからステップＳ１−１１へ進む。
【００３６】
ステップＳ１−１１
作像部２１（図３）は、印刷を開始する。
ステップＳ１−１２
作像部２１（図３）による印刷が終了するとステップＳ１−１３へ進み、印刷を継続中はステップＳ１−１５へ進む。
【００３７】
ステップＳ１−１３
定着温度制御部２３（図３）は、定着温度の保持を終了する。
ステップＳ１−１４
ＣＰＵ７（図１）は、複写モードをリセットしてフローを終了し、節電モードに戻る。
【００３８】
ステップＳ１−１５
定着温度制御部２３（図３）は、印刷が終了していないので定着温度を保持し、ステップＳ１−９へ戻る。以下、ステップＳ１−９→ステップＳ１−１０→ステップＳ１−１１→ステップＳ１−１２→ステップＳ１−１５→ステップＳ１−９と続くループを繰り返し、印刷が終了するとステップＳ１−１２からステップＳ１−１３へ抜け出してフローを終了する。
【００３９】
ステップＳ１−１６（図５）
複写条件が設定されたので定着温度制御部２３（図１）は、タイマー８（図１）をリセットして再スタートさせる。この理由は、操作者が、複写倍率設定キー２０１（図４）、複写用ズームキー２０３、２０４（図４）、複写解像度設定キー２０６（図４）、複写部数入力キーとしてのテンキー２１４（図４）、及び追加設定キー２１９（図４）のいわゆる複写条件設定キーの何れかを押下したとしても、その後、所定の時間内に複写の起動を入力しない場合には複写モードを破棄したものと判断すべきだからである。
【００４０】
ステップＳ１−１７
操作者によって複写条件を設定する数値、又は項目が入力されるとステップＳ１−１８へ進む。
ステップＳ１−１８
定着温度制御部２３（図１）は、タイマー８（図１）を監視し、タイムアウトしていればステップＳ１−１９へ進み、タイムアウトしていなければステップＳ１−２１へ進む。
【００４１】
ステップＳ１−１９
定着温度制御部２３（図１）は、定着温度の保持を終了する。この場合は、複写モードが選択された後、何らかの理由で操作者が中断、又は装置から離れた可能性が高いので、定着温度を保持する必要が無くなったからである。
ステップＳ１−２０
ＣＰＵ７（図１）は、複写モードをリセットしてステップＳ１−１へ戻る。
【００４２】
ステップＳ１−２１
定着温度制御部２３（図３）は、サーミスタ２２−４（図３）を監視し、定着温度に達していればステップＳ１−２２へ進み、定着温度に達していなければそのままステップＳ１−６へ戻る。
ステップＳ１−２２
定着温度制御部２３（図３）は、定着温度を保持したままステップＳ１−６へ戻る。
【００４３】
ステップＳ１−２３（図６）
操作者が操作パネル部３（図４）を操作してモード選択キー２１１、２１２（図４）によってスキャンモードを選択している場合にはステップＳ１−２４へ進み、それ以外の場合にはステップＳ１−２５へ進む。
ステップＳ１−２４
ＣＰＵ７（図１）がスキャンモードの処理を実行してフローを終了する。
【００４４】
ステップＳ１−２５
他のキー入力があった場合にはステップＳ１−２６へ進み、他のキー入力も無かった場合にはステップＳ１−２へ戻る。
ステップＳ１−２６
ＣＰＵ７（図１）は、他のキー入力に対応した処理を実行してフローを終了する。
【００４５】
全ステップの説明を終了したのでステップＳ１−７とステップＳ１−８とについて再度補足説明する。ステップＳ１−７では、操作者の不慣れ等によって原稿セットに手間取る場合には、ステップＳ１−５でセットしたタイマー時間内であれば、ステップＳ１−１８→ステップＳ１−２１又はステップＳ１−２２→ステップＳ１−６→ステップＳ１−７→ステップＳ１−１８を通るループを繰り返し、その間に原稿がセットされればステップＳ１−７からステップＳ１−８へ進む。その間に原稿セットされなければタイムオーバするのでステップＳ１−１８からステップＳ１−１９を通ってステップＳ１−１へ戻り、操作し直すことになる。ステップＳ１−８も同様である。
【００４６】
以上説明したように、本実施例による画像形成装置１００は、操作者が操作パネル部の複写モードボタンを押下したことを認識する複写モード選択認識部４を備え、この複写モード選択認識部４が操作者によって複写モードボタンが押下されたことを認識したときに定着部の温度を上昇させる制御が開始される。従って、操作者が複写条件の設定等を行っている間に定着部の温度を上昇させることが出来るので、複写タイミングを早めることが可能になると共に、画像印刷を必要としていないときには、定着部の温度を上昇させないこととするので不要な電力消費を回避することが出来るという効果を得る。
【実施例２】
【００４７】
上記実施例１では、操作者によって複写モード選択キー２１１（図４）が押下されたときに始めて定着部の温度上昇を開始させることとしたが、本実施例では、複写モード選択キー２１１（図４）が押下される前であっても、操作者によって複写条件設定キー（複写倍率設定キー２０１（図４）、複写解像度設定キー２０６（図４）等）が押下された場合には、操作者が画像印刷を所望していることは明らかなので、定着部の温度上昇を開始させることとする。
【００４８】
図７は、実施例２による画像形成装置の構成のブロック図である。
図に示すように画像形成装置２００は、スキャナ部１と、プリンタ部２と、操作パネル部３と、複写モード選択認識部４と、ネットワークＩ／Ｆ部５と、電源部６と、タイマー８と、ＲＡＭ１０と、印刷要不要判定部２５と、ＣＰＵ２６と、ＲＯＭ２７とを備える。実施例１との相違部分のみについて説明する。実施例１と同様の部分については実施例１と、同一の符合を付して説明を省略する。
【００４９】
印刷要不要判定部２５は、操作パネル部３から受け入れた特定の操作項目の入力がプリンタ部２による画像印刷を必要とするか否かを判定し、画像印刷が必要であると判定した場合には、定着温度制御部２３に定着部２２の温度上昇を開始させる部分である。即ち、操作者が、複写倍率設定キー２０１（図４）、複写解像度設定キー２０６（図４）等を押下したときに、画像印刷が必要であると判定して、定着温度制御部２３に定着部２２の温度上昇を開始させる部分である。この部分は、ＲＯＭ９に予め格納されている所定の制御プログラムをＣＰＵ７が実行することによって起動される部分である。
【００５０】
ＣＰＵ２６は、ＲＯＭ２７に予め格納されている所定の制御プログラムを実行することによって装置全体を制御するマイクロプロセッサである。通常の制御（説明を省略する）に加えて、ＲＯＭ２７に予め格納されている所定の制御プログラムを実行することによって定着温度制御部２３と、複写モード選択認識部４とを起動する部分である。更に、本実施例では、ＲＯＭ２７に予め格納されている所定の制御プログラムを実行することによって印刷要不要判定部２５を起動する部分である。
【００５１】
ＲＯＭ２７は、ＣＰＵ２６が実行して装置全体を制御する制御プログラムが予め格納されているリードオンリーメモリーである。通常の制御プログラム（説明を省略する）に加えて、ＣＰＵ２６が実行することによって定着温度制御部２３と、複写モード選択認識部４とを起動する制御プログラムが予め格納されているリードオンリーメモリーである。更に、本実施例では、ＣＰＵ２６が実行することによって印刷要不要判定部２５を起動する制御プログラムが予め格納されているリードオンリーメモリーである。
【００５２】
図８は、実施例２による画像形成装置の動作フローチャート（その１）である。
図９は、実施例２による画像形成装置の動作フローチャート（その２）である。
図に示すフローは、ＣＰＵ２６（図７）が、ＲＯＭ２７（図７）に格納されている制御プログラムを読み出して実行することによって達成される。実施例１による画像形成装置の動作との相違部分は、実施例１のステップＳ１−１とステップＳ１−２の間に点線部分（ステップＳ２−１からステップＳ２−４）が追加されているのみであり、その他の部分は実施例１による画像形成装置の動作と全く同様なので、ステップＳ２−１からステップＳ２−４までのみについて説明し、その他の部分は、実施例１と同一のステップ番号を付して説明を省略する。
【００５３】
ステップＳ２−１（図８）
印刷要不要判定部２５（図７）は、操作者によって押下されたキーが複写倍率設定キー２０１（図４）、複写解像度設定キー２０６（図４）等、印刷を必要とする複写条件設定キーであるか否かを判断し、複写条件設定キーである場合にはステップＳ２−２へ進む。複写条件設定キーで無い場合にはステップＳ１−２へ進んで、以後実施例１と同様のフローを辿る。
【００５４】
ステップＳ２−２
印刷要不要判定部２５（図７）は、複写モードが選択されたことを認識する。
ステップＳ２−３
印刷要不要判定部２５（図７）は、定着温度制御部２３（図７）に定着温度制御を開始させる。定着温度制御部２３（図７）は、ハロゲンランプ２２−１（図３）に通電させて定着ローラ２２−２（図３）の温度を上昇させる。
【００５５】
ステップＳ２−４
定着温度制御部２３（図７）は、タイマー８（図７）をスタートさせ、ステップＳ１−１７へ進んで、以後実施例１と同様のフローを辿る。
【００５６】
以上説明したように、本実施例では、複写モード選択キー２１１（図４）が押下させる前であっても、複写条件設定キーが押下されると、印刷要不要判定部２５（図７）は、画像印刷が必要であると判定して定着部２２（図７）の温度上昇を開始させるので、操作者が複写条件の設定を行っている間に定着部２２（図７）の温度を上昇させることが出来るので、複写タイミングを早めることが可能になると共に、画像印刷を必要としていないときには、定着部２２（図７）の温度を上昇させないこととするので不要な電力消費を回避することが出来るという効果を得る。
【実施例３】
【００５７】
本実施例では、一旦原稿がセットされた後、原稿が取り除かれた場合には印刷動作は不要になるので、原稿除去検出部を備え、原稿除去を検出すると即座に定着温度保持動作を停止することとする。
【００５８】
図１０は、実施例３による画像形成装置の構成のブロック図である。
図に示すように画像形成装置３００は、スキャナ部１と、プリンタ部２と、操作パネル部３と、複写モード選択認識部４と、ネットワークＩ／Ｆ部５と、電源部６と、タイマー８と、ＲＡＭ１０と、印刷要不要判定部２５と、原稿除去検出部３１と、ＣＰＵ３２と、ＲＯＭ３３とを備える。実施例２との相違部分のみについて説明する。実施例２と同様の部分については実施例２と、同一の符合を付して説明を省略する。
【００５９】
原稿除去検出部３１は、原稿検出部１１が出力している原稿有無信号が０Ｖから５Ｖに変化するとスキャナ部１にセットされていた原稿が、取り除かれたと判断し、定着温度制御部２３による定着部２２の温度を上昇させる制御、又は定着温度を保持する制御を停止させる部分である。この部分は、ＲＯＭ３３に予め格納されている所定の制御プログラムをＣＰＵ３２が実行することによって起動される部分である。
【００６０】
ＣＰＵ３２は、ＲＯＭ３３に予め格納されている所定の制御プログラムを実行することによって装置全体を制御するマイクロプロセッサである。通常の制御（説明を省略する）に加えて、ＲＯＭ３３に予め格納されている所定の制御プログラムを実行することによって定着温度制御部２３と、複写モード選択認識部４と、印刷要不要判定部２５とを起動する部分である。更に、本実施例では、ＲＯＭ３３に予め格納されている所定の制御プログラムを実行することによって原稿除去検出部３１を起動する部分である。
【００６１】
ＲＯＭ３３は、ＣＰＵ３２が実行して装置全体を制御する制御プログラムが予め格納されているリードオンリーメモリーである。通常の制御プログラム（説明を省略する）に加えて、ＣＰＵ３２が実行することによって定着温度制御部２３と、複写モード選択認識部４と、印刷要不要判定部２５とを起動する制御プログラムが予め格納されているリードオンリーメモリーである。更に、本実施例では、ＣＰＵ３２が実行することによって原稿除去検出部３１を起動する制御プログラムが予め格納されているリードオンリーメモリーである。
【００６２】
図１１は、実施例３による画像形成装置の動作フローチャート（その１）である。
図１２は、実施例３による画像形成装置の動作フローチャート（その２）である。
図に示すフローは、ＣＰＵ３２（図１０）が、ＲＯＭ３３（図１０）に格納されている制御プログラムを読み出して実行することによって達成される。実施例２による画像形成装置の動作との相違部分は、実施例２のステップＳ１−７とステップＳ１−８の間に点線部分（ステップＳ３−１）が追加されているのみであり、その他の部分は実施例２による画像形成装置の動作と全く同様なので、ステップＳ３−１のみについて説明し、その他の部分は、実施例２と同一のステップ番号を付して説明を省略する。
【００６３】
ステップＳ３−１（図１１）
原稿除去検出部３１（図１０）は、原稿検出部１１（図１０）が出力している原稿有無信号が０Ｖから５Ｖに変化するとスキャナ部１（図１０）にセットされていた原稿が、取り除かれたことを検出し、定着温度制御部２３（図１０）による定着部２２（図１０）の定着温度を保持する制御を停止させるためにステップＳ１−１９へ進む。以下実施例２の動作と同様のフローを辿る。
【００６４】
以上説明したように、本実施例では、原稿除去検出部３１（図１０）を備えることによって、一旦原稿がセットされた後に取り除かれた場合には、即座に定着温度保持動作を停止することが可能になったので、不要な電力消費を回避することが出来るという効果を得る。
【実施例４】
【００６５】
本実施例では、一旦複写モードが選択された後、途中でスキャンモードに変更された場合には印刷動作は不要になるので、モード変換検出部を備え、モード変換を検出すると即座に定着温度保持動作を停止することとする。
【００６６】
図１３は、実施例４による画像形成装置の構成のブロック図である。
図に示すように画像形成装置４００は、スキャナ部１と、プリンタ部２と、操作パネル部３と、複写モード選択認識部４と、ネットワークＩ／Ｆ部５と、電源部６と、タイマー８と、ＲＡＭ１０と、印刷要不要判定部２５と、原稿除去検出部３１と、モード変換検出部４１と、ＣＰＵ４２と、ＲＯＭ４３とを備える。実施例３との相違部分のみについて説明する。実施例３と同様の部分については実施例３と、同一の符合を付して説明を省略する。
【００６７】
モード変換検出部４１は、操作者が複写条件設定操作の途中でスキャンモード選択キー２１２（図４）を押下すると、複写モードからスキャンモードへの変更要求を検出し、定着温度制御部２３による定着部２２の温度を上昇させる制御、又は定着温度を保持する制御を停止させる部分である。この部分は、ＲＯＭ４３に予め格納されている所定の制御プログラムをＣＰＵ４２が実行することによって起動される部分である。
【００６８】
ＣＰＵ４２は、ＲＯＭ４３に予め格納されている所定の制御プログラムを実行することによって装置全体を制御するマイクロプロセッサである。通常の制御（説明を省略する）に加えて、ＲＯＭ４３に予め格納されている所定の制御プログラムを実行することによって定着温度制御部２３と、複写モード選択認識部４と、印刷要不要判定部２５と、原稿除去検出部３１とを起動する部分である。更に、本実施例では、ＲＯＭ４３に予め格納されている所定の制御プログラムを実行することによってモード変換検出部４１を起動する部分である。
【００６９】
ＲＯＭ４３は、ＣＰＵ４２が実行して装置全体を制御する制御プログラムが予め格納されているリードオンリーメモリーである。通常の制御プログラム（説明を省略する）に加えて、ＣＰＵ４２が実行することによって定着温度制御部２３と、複写モード選択認識部４と、印刷要不要判定部２５と、原稿除去検出部３１とを起動する制御プログラムが予め格納されているリードオンリーメモリーである。更に、本実施例では、ＣＰＵ４２が実行することによってモード変換検出部４１を起動する制御プログラムが予め格納されているリードオンリーメモリーである。
【００７０】
図１４は、実施例４による画像形成装置の動作フローチャート（その１）である。
図１５は、実施例４による画像形成装置の動作フローチャート（その２）である。
図に示すフローは、ＣＰＵ４２（図１３）が、ＲＯＭ４３（図１３）に格納されている制御プログラムを読み出して実行することによって達成される。実施例３による画像形成装置の動作との相違部分は、実施例３のステップＳ１−６とステップＳ１−７の間に点線部分（ステップＳ４−１、ステップＳ４−２、ステップＳ４−３）が追加されているのみであり、その他の部分は実施例３による画像形成装置の動作と全く同様なので、点線部分（ステップＳ４−１、ステップＳ４−２、ステップＳ４−３）のみについて説明し、その他の部分は、実施例３と同一のステップ番号を付して説明を省略する。
【００７１】
ステップＳ４−１（図１４）
モード変換検出部４１（図１３）は、操作者が複写条件設定操作の途中でスキャンモード選択キー２１２（図４）を押下すると、複写モードからスキャンモードへのモード変更要求を検出してステップＳ４−２へ進む。モード変更要求を検出しない限りステップＳ１−７へ進んで複写モードでのフローを辿る。
【００７２】
ステップＳ４−２
モード変換検出部４１（図１３）は、定着温度制御部２３（図１３）による定着部２２（図１３）の定着温度を保持する制御を停止させる。
ステップＳ４−３
モード変換検出部４１（図１３）は、複写モードをリセットしてステップＳ１−２５（図１５）へ進む。以下実施例３の動作と同様のフローを辿る。
【００７３】
以上説明したように、本実施例では、モード変換検出部４１（図１３）を備えることによって、複写モードの途中でスキャンモードへのモード変更要求があった場合には、即座に定着温度保持動作を停止することが可能になったので、不要な電力消費を回避することが出来るという効果を得る。
【産業上の利用可能性】
【００７４】
以上の説明では、本発明をスキャナ部とプリンタ部とを有する画像形成装置に適用した場合に限定して説明したが、本発明は、この例に限定されるものでは無い。即ち、複写装置、ファクシミリ装置、及びスキャナ、プリンタを含む複合システムにも適用可能である。
【図面の簡単な説明】
【００７５】
【図１】実施例１による画像形成装置の構成のブロック図である。
【図２】スキャナ部の構成の概略説明図である。
【図３】プリンタ部の構成の概略説明図である。
【図４】操作パネル部の構成図である。
【図５】実施例１による画像形成装置の動作フローチャート（その１）である。
【図６】実施例１による画像形成装置の動作フローチャート（その２）である。
【図７】実施例２による画像形成装置の構成のブロック図である。
【図８】実施例２による画像形成装置の動作フローチャート（その１）である。
【図９】実施例２による画像形成装置の動作フローチャート（その２）である。
【図１０】実施例３による画像形成装置の構成のブロック図である。
【図１１】実施例３による画像形成装置の動作フローチャート（その１）である。
【図１２】実施例３による画像形成装置の動作フローチャート（その２）である。
【図１３】実施例４による画像形成装置の構成のブロック図である。
【図１４】実施例４による画像形成装置の動作フローチャート（その１）である。
【図１５】実施例４による画像形成装置の動作フローチャート（その２）である。
【符号の説明】
【００７６】
１    スキャナ部
２    プリンタ部
３    操作パネル部
４    複写モード選択認識部
５    ネットワークＩ／Ｆ部
６    電源部
８    タイマー
１０    ＲＡＭ
１１    原稿検出部
１２    原稿読み取り部
１３    ネットワーク
２１    作像部
２２    定着部
２３    定着温度制御部
２６    ＣＰＵ
２７    ＲＯＭ
２００    画像形成装置
１１０    外部装置
【図１】
2006227286.tif 000003
【図２】
2006227286.tif 000004
【図３】
2006227286.tif 000005
【図４】
2006227286.tif 000006
【図５】
2006227286.tif 000007
【図６】
2006227286.tif 000008
【図７】
2006227286.tif 000009
【図８】
2006227286.tif 000010
【図９】
2006227286.tif 000011
【図１０】
2006227286.tif 000012
【図１１】
2006227286.tif 000013
【図１２】
2006227286.tif 000014
【図１３】
2006227286.tif 000015
【図１４】
2006227286.tif 000016
【図１５】
2006227286.tif 000017